(57)【要約】      （修正有）【課題】着用者が自分の臀部のシェープを所望の形に改変又は改善するためにいろいろなサイズ及び形状の臀部フォルムパッドを自在に選択することを可能にする臀部フォルム改善デバイスを提供する。【解決手段】各臀部フォルムパッドは、１つの第１臀部フォルム部材を１つの第２臀部フォルム部材に取り付けることによって形成される。衣服は、人の身体の下部（臀部等を含む）を覆うために用いられ、衣服の後面両側に着用者の臀部に近接する部位にそれぞれ臀部フォルムパッドを収容するための２つのポケットを有する。各第１臀部フォルム部材は、その内部に一定容量のゲルを封入するための袋を含む。第２臀部フォルム部材は、それぞれ対応する第１臀部フォルム部材に取り付けられ、ポケット内に充填される。臀部フォルムパッドがそれぞれのポケット内に収容されると、第１臀部フォルム部材は、パッドの着用者の臀部（臀部）から遠い側の外側表面側に位置し、他方、第２臀部フォルム部材は、パッドの着用者の臀部に近接した内側表面側に位置する。【選択図】図１Ｂ
0003135970.tif 000002
【実用新案登録請求の範囲】
【請求項１】
人の身体の下部を覆うためのものであり、後面両側に着用者の臀部に近接する部位に臀部フォルムパッドを収容するための２つのポケットを有する衣服と、着用者の臀部に近接して該各ポケット内に１つずつ収容された２つの臀部フォルムパッドとから成る臀部フォルム改善デバイスであって、
前記各臀部フォルムパッドは、第１臀部フォルム部材と第２臀部フォルム部材を含み、該第１臀部フォルム部材は、袋と、該袋内に封入された一定容量のゲルから成り、前記各第２臀部フォルム部材は、それとフィットする形状の、それぞれ対応する前記第１臀部フォルム部材に取り付けられ、該第１臀部フォルム部材が臀部フォルムパッドの、着用者の臀部から遠い側の外側表面側に位置し、該第２臀部フォルム部材が臀部フォルムパッドの、着用者の臀部に近接した内側表面側に位置するように、各臀部フォルムパッドがそれぞれの前記ポケット内に充填されて成ることを特徴とする臀部フォルム改善デバイス。
【請求項２】
前記２つの臀部フォルムパッドは、互いに対称形状又は補完形状である請求項１に記載の臀部フォルム改善デバイス。
【請求項３】
前記臀部フォルムパッドは、平坦な内側表面を有する請求項１に記載の臀部フォルム改善デバイス。
【請求項４】
前記臀部フォルムパッドは、湾曲した内側表面を有する請求項１に記載の臀部フォルム改善デバイス。
【請求項５】
前記各第１臀部フォルム部材は、該第１臀部フォルム部材を前記第２臀部フォルム部材に取り付けるための下方延長部分を含む請求項１に記載の臀部フォルム改善デバイス。
【請求項６】
前記袋及び前記下方延長部分は、熱可塑性材の薄いフィルムによって形成されている請求項５に記載の臀部フォルム改善デバイス。
【請求項７】
前記各臀部フォルムパッドは、周縁延長部分を含む請求項１に記載の臀部フォルム改善デバイス。
【請求項８】
前記周縁延長部分は、熱可塑性材の薄いフィルムによって形成されている請求項７に記載の臀部フォルム改善デバイス。
【請求項９】
前記各第１臀部フォルム部材は、対応する前記各第２臀部フォルム部材に接着材によって取り付けられている請求項１に記載の臀部フォルム改善デバイス。
【請求項１０】
前記各ポケットは、前記臀部フォルムパッドを挿入したり取り出したりするための開口を有する請求項１に記載の臀部フォルム改善デバイス。
【請求項１１】
前記袋は、熱可塑性材の薄いフィルムによって形成されている請求項１に記載の臀部フォルム改善デバイス。
【請求項１２】
前記ゲルは、弾性ゲルである請求項１に記載の臀部フォルム改善デバイス。
【請求項１３】
前記弾性ゲルは、シリコーンゲルである請求項１２に記載の臀部フォルム改善デバイス。
【請求項１４】
前記第２臀部フォルム部材は、フォーム材によって形成されている請求項１に記載の臀部フォルム改善デバイス。
【請求項１５】
ゲルを封入された前記袋の外側表面は、前記臀部フォルムパッドの外側表面の面積の５０％〜１００％を占める請求項１に記載の臀部フォルム改善デバイス。
【請求項１６】
第１臀部フォルム部材と第２臀部フォルム部材とから成る臀部フォルムパッドであって、
該第１臀部フォルム部材は、袋と、該袋内に封入された一定容量のゲルから成り、着用者の臀部から遠い側の外側表面側に位置し、
前記第２臀部フォルム部材は、前記第１臀部フォルム部材に取り付けられ、着用者の臀部に近接した内側表面側に位置することを特徴とする臀部フォルムパッド。
【請求項１７】
該臀部フォルムパッドを着用者の臀部に取付けるための感圧性接着材層が、薄いフィルムによって前記第２臀部フォルム部材に取り付けられている請求項１６に記載の臀部フォルムパッド。
【請求項１８】
各臀部フォルムパッドは、周縁延長部分を含む請求項１６に記載の臀部フォルムパッド。
【請求項１９】
該臀部フォルムパッドは、着用者の臀部に近接する内側表面に縫いつけ又は溶接によっ
て取り付けられる請求項１８に記載の臀部フォルムパッド。
【請求項２０】
前記周縁延長部分、熱可塑性材の薄いフィルムによって形成されている請求項１８に記載の臀部フォルムパッド。
【請求項２１】
前記各第１臀部フォルム部材は、該第１後部フォルム部材を前記第２後部フォルム部材に取り付けるための下方延長部分を含む請求項１６に記載の臀部フォルムパッド。
【請求項２２】
前記袋及び前記下方延長部分は、熱可塑性材の薄いフィルムによって形成されている請求項２１に記載の臀部フォルムパッド。
【請求項２３】
該臀部フォルムパッドは、平坦な内側表面を有する請求項１６に記載の臀部フォルムパッド。
【請求項２４】
該臀部フォルムパッドは、湾曲した内側表面を有する請求項１に記載の臀部フォルムパッド。
【請求項２５】
前記第１臀部フォルム部材は、前記第２臀部フォルム部材に接着材によって取り付けられている請求項１６に記載の臀部フォルムパッド。
【請求項２６】
前記袋は、熱可塑性材の薄いフィルムによって形成されている請求項１６に記載の臀部フォルムパッド。
【請求項２７】
前記ゲルは、弾性ゲルである請求項１６に記載の臀部フォルムパッド。
【請求項２８】
前記弾性ゲルは、シリコーンゲルである請求項２７に記載の臀部フォルムパッド。
【請求項２９】
前記第２臀部フォルム部材は、フォーム材によって形成されている請求項１６に記載の臀部フォルムパッド。
【請求項３０】
ゲルを封入された前記袋の外側表面は、該臀部フォルムパッドの外側表面の面積の５０％〜１００％を占める請求項１６記載の臀部フォルムパッド。
【考案の詳細な説明】
【技術分野】
【０００１】
本考案は、着用者の後部（特に臀部）のボリューム及びシェープ（姿形、格好）を改善するためのデバイスに関し、特に、着用者の臀部のボリュームを増大させ、臀部のシェープを改善することができる、パンティーやスカート等の衣服と組み合わせて用いる臀部フォルム（体形を保持するための型）パッド（詰め物、当て物）に関する。
【背景技術】
【０００２】
一般に、男性でも女性でも、標準体形の望ましい体形を有している人は少なく、自身の体形に大きな注意を払う人が多い。加齢や病気のために体形が悪くなると、多くの人は、可能限りのあらゆる手段によって望ましい体形を取り戻すことを切望する。
【０００３】
顔、バスト、胸部、後部（特に臀部）、大腿部又はその他のどの体部も、人々が望ましい形を得るために改善したいと切望する目標となる。なかんずく、臀部のシェープは、運動やダイエットによるだけでは大きくしたり変えたりすることは容易ではない。又、外科手術、整形ガードル又はパンツの使用、衣服へのフォーム材（発泡材料）の挿入等のその他の方法も、その効果は限定的である。更に、上記の各方法は、それぞれ欠点を有する。例えば、外科手術の欠点は、失敗する危険、外科手術の欠陥によって惹起される長期間に及ぶ傷害、高い料金等を含み、整形ガードルやパンツの使用には不快感を伴う。
【考案の開示】
【考案が解決しようとする課題】
【０００４】
これらの問題に鑑み、本考案は、上述したいろいろな欠点を克服するための後部又は臀部フォルム改善デバイスを提供する。
【０００５】
本考案の目的は、着用者に体形を自然に改変する効果を与えることができ、好適な素材と構造設計により着用者の臀部に違和感を与えることのない臀部フォルム改善デバイスを提供することである。
【０００６】
本考案の他の目的は、着用者が自分の臀部のシェープを所望の形に改変又は改善するためにいろいろなサイズ及び形状の臀部フォルムパッドを自在に選択することを可能にする臀部フォルム改善デバイスを提供することである。
【０００７】
本考案の更に他の目的は、第１臀部フォルム部材内に封入されるゲルの使用量を少なくするために例えばフォーム材などのパディング（詰め物又は芯）として好適な軽量材料によって第２臀部フォルム部材を形成し、それによって、製造コストを削減することを可能にする臀部フォルム改善デバイスを提供することである。
【課題を解決するための手段】
【０００８】
上記課題を解決するために、本考案は、衣服と臀部フォルムパッドとから成る臀部フォルム改善デバイスを提供する。本考案の臀部フォルム改善デバイスの各臀部フォルムパッドは、１つの第１臀部フォルム部材をそれとほぼフィットする１つの第２臀部フォルム部材に取り付けることによって形成される。衣服は、人の身体の下部（臀部を含む）を覆うために用いられ、該衣服の後面両側に着用者の臀部に近接する部位にそれぞれ臀部フォルムパッドを収容するための２つのポケットを有する。第１臀部フォルム部材は、その内部に一定容量のゲルを封入又は包被する。第２臀部フォルム部材は、それぞれ対応する第１臀部フォルム部材に取り付けられ、ポケット内に充填される。臀部フォルムパッドがそれぞれのポケット内に収容されると、第１臀部フォルム部材は、パッドの、着用者の臀部から遠い側の外側表面側に位置し、他方、第２臀部フォルム部材は、パッドの、着用者の臀部に近接した内側表面側に位置する。
【考案の効果】
【０００９】
本考案の利点は、以下の通りである。
１．本考案の臀部フォルム改善デバイスは、着用者が自然な改変効果を得ることを可能にし、しかも、その好適な素材と構造設計により、着用者の臀部に違和感を与えることがない。
２．本考案の臀部フォルム改善デバイスは、着用者が自分の臀部のシェープを所望の形状に改善するために臀部フォルムパッドいろいろなサイズ及び形状を自在に（融通性をもって）選択することを可能にする。
３．本考案の第２臀部フォルム部材は、ゲルの使用量を少なくするために軽量材で形成されるので、重量及び臀部フォルム改善デバイスの製造コストを削減できる。
【００１０】
従って、上述したように、本考案は、簡単な構造を有し、いろいろな実用的な形状をとることができ、新規で、実用可能な臀部フォルム改善デバイスを提供するという所期の目的を達成することができる。
【考案を実施するための最良の形態】
【００１１】
本考案のその他の目的、特徴及び利点は、添付図を参照して記述する以下の好ましい実施形態の説明から明らかになろう。
【００１２】
図１Ａ及び１Ｂを参照して説明すると、本考案は、衣服４０と臀部フォルムパッド７０とから成る臀部フォルム改善デバイス３０を提供する。臀部フォルムパッド（以下、単に「パッド」とも称する）７０は、第１臀部フォルム部材５０と第２臀部フォルム部材６０を含む。衣服４０は、身体の下部（特に臀部）を覆うためのものであり、衣服の後面には身体の臀部に近接する部位に２つのポケット８０が取り付けられている。各第１臀部フォルム部材５０は、一定容量のゲル４２を封入するための袋５２を有する。各第２臀部フォルム部材６０は、それとほぼフィットする形状の、それぞれ対応する第１臀部フォルム部材５０に取り付けられ、ポケット８０内に充填される。各臀部フォルムパッド７０を１つのポケット８０内に挿入すると、第１臀部フォルム部材５０は、パッドの、着用者の臀部から遠い側の外側表面４６側に位置し、他方、第２臀部フォルム部材６０は、パッドの、着用者の臀部に近接した内側表面４４側に位置する。
【００１３】
図１Ａ及び１Ｂ及び図２に示されるように、本考案の臀部フォルム改善デバイス３０は、衣服４０と２つの臀部フォルムパッド７０とから成り、各パッドは、第１臀部フォルム部材５０と第２臀部フォルム部材６０を含む。この実施形態では、２つのパッドは、いずれも楕円形である。パッド７０は、外側表面４６と内側表面４４を有する。衣服４０は、パンツ又はスカートのようなものであり、後面を有し、後面には、着用者の身体下方、特に臀部を覆うように着用者の臀部付近に２つのポケット８０が取り付けられている。各ポケット８０は、臀部フォルムパッド７０を収容するための袋構造を有し、その形状は、臀部フォルムパッド７０の形状によって決定される。各ポケット８０は、臀部フォルムパッド７０を挿入したり、取り出したりするための開口（図示せず）有している。
【００１４】
各第１臀部フォルム部材５０は、袋５２と、周縁延長部分５６を有し、袋５２は、所定容量のゲル４２を封入するために少くとも１枚のシートによって形成される。ゲル４２を充填された袋５２の外側表面は、臀部フォルムパッド７０の外側表面４６の面積の５０％〜１００％を占める。この実施形態では、ゲル４２を充填された袋５２の外側表面は、臀部フォルムパッド７０の外側表面４６の面積のほぼ１００％を占める。
【００１５】
周縁延長部分５６は、熱可塑性材の薄いフィルムによって形成され、好ましくは２〜１０ｍｍの範囲の所定の幅を有する。この周縁延長部分５６によって、ユーザー（着用者）の皮膚とパッド７０の周縁との高さの差を小さくすることができる。換言すれば、パッド７０の周縁からユーザーのに皮膚へと円滑に連続させることができ、従って、ユーザーの皮膚とパッド７０の周縁との高さの差による違和感を感じさせない。
【００１６】
ゲル４２は、弾性（従って、伸縮自在の、順応性のある）ゲルであり、シリコーンゲルとすることが非常に好ましい。袋５２の素材であるシートは、フォーム材、プラスチック材、ゴム、織布、不織布、ポリウレタン、又はそれらの材料から造られた混合材によって形成することができるが、最も好ましい実施例では、熱可塑性材の薄いフィルムによって形成する。
【００１７】
又、第２臀部フォルム部材６０は、フォーム材などの、パディング（詰め物又は芯）として好適な軽量材料によって形成される。それによって本考案の、臀部フォルム改善デバイスの重量を軽くすることができ、かつ、身体の臀部の輪郭を維持することができる。
【００１８】
更に、ゲルを少くとも１枚のシートによって形成された袋５２内に封入する方法として２つの方法を採ることができる。第１の方法は、熱可塑性材によって形成された少くとも２枚のシートをそれらの周縁に沿って加熱し封着（密封接合）して、それらのシートの間にゲル４２を部分的に又は完全に封入するためのスペースを形成する方法である。第２の方法は、１枚のシートを折り重ねて密封することによってゲル４２を封入するためのスペースを形成する方法である。第１の方法の場合は、第１臀部フォルム部材５０の、ゲル４２を封入していない部分の加熱され又は密封された上記２枚のシートを互いに接合させる。第２の方法の場合は、第１臀部フォルム部材５０の、ゲル４２を封入していない部分の加熱され又は密封された上記１枚の折り重ねられたシートを互いに接合させる。
【００１９】
図１Ｂに示されるように、臀部フォルムパッド７０の縦断面の厚さは、その頂縁から下方に向かって徐々に増大し、上下間の中間で最大となり、中間から底縁に向かって徐々に減小している。
【００２０】
図１Ｃは、図１Ｂのものとは異なる、別の形状の臀部フォルムパッド７０ａを示す。このパッドの外側表面と内側表面は、それぞれ４６ａ、４４ａで示され、第１臀部フォルム部材及び第２臀部フォルム部材は、それぞれ５０ａ、６０ａで示されている。内側表面４４ａは、ユーザーの臀部により密にフィットするように曲面と（湾曲）されている。この実施例では、ゲル４２を封入された袋５２の外側表面は、臀部フォルムパッド７０ａの外側表面４６ａの面積の１００％を占める。
【００２１】
図１Ｄは、更に別の形状の臀部フォルムパッド７０ｂを示す。このパッドの外側表面と内側表面は、それぞれ４６ｂ、４４ｂで示され、第１臀部フォルム部材及び第２臀部フォルム部材は、それぞれ５０ｂ、６０ｂで示されている。内側表面４４ｂは、ユーザーの臀部により密にフィットするように曲面とされている。この実施例では、ゲル４２を封入された袋５２の外側表面は、臀部フォルムパッド７０ｂの外側表面４６ｂの面積のほぼ７５％を占める。更に、この実施例では、第１臀部フォルム部材５０ｂは、該第１臀部フォルム部材５０ｂを第２臀部フォルム部材６０ｂに接合するための下方延長部分５４を有する。この下方延長部分５４は、熱可塑性材の薄いフィルムによって形成される。
【００２２】
図２は、２つの臀部フォルムパッド７０を互いに対称形状又は補完形状とした本考案の別の実施形態を示す。
【００２３】
図３Ａ及び３Ｂは、本考案の他の実施例を示す。臀部フォルムパッド７０ｃは、頂部３２と、底部３６と、頂部３２から底部３６にまで延長して楕円を画定する側部３４を有する。ただし、これは、第１臀部フォルム部材５０ｃの形状又はサイズを限定するものではなく、単に好ましい実施例を例示するものである。
【００２４】
図３Ｂは、外側表面４６ｃと内側表面４４ｃを有する臀部フォルムパッド７０ｃの断面図である。第１臀部フォルム部材５０ｃは、その内部に所定容量のゲル４２を包被する。ゲル４２を封入された袋５２の外側表面は、臀部フォルムパッド７０ｃの外側表面４６ｃの面積の５０〜１００％を占める。本実施例では、ゲル４２が封入された袋５２の外側表面は、臀部フォルムパッド７０ｃの外側表面４６ｃの面積の７５％を占める。第２臀部フォルム部材は、参照番号６０ｃで示されている。
【００２５】
図３Ｃは、例えば垂れ下がった臀部のような特別の形状の臀部を有するユーザーに適するように付形された臀部フォルムパッド７０ｄの断面図である。この実施例では、各臀部フォルムパッド７０ｄは、該パッドの、着用者の臀部から遠い側の外側表面４６ｄ側に第１臀部フォルム部材５０ｄを有し、該パッドの、着用者の臀部に近接する内側表面４４ｄ側に第２臀部フォルム部材６０ｄを有する。ゲル４２を封入された袋５２の外側表面は、臀部フォルムパッド７０ｄの外側表面４６ｄの面積のほぼ７５％を占める。外側表面４６ｄのラジアンは、好適な曲率半径を有する円の一部分とすることができる。第１臀部フォルム部材５０ｄの断面の厚さは、臀部フォルムパッド７０ｄの頂部３２と底部３６に関して対称ではなく、パッドの頂部３２から下方に向かって徐々に増大し、頂部３２と底部３６の間の中間で最大となり、中間から底部３６に向かって徐々に減小している。この実施例では、臀部の上方部分の垂れ下がりを補完することができるように臀部フォルムパッド７０ｄの上方部分の方に、より豊満さ（ふくよかな厚み）をもたせている。
【００２６】
図３Ｄは、ユーザーの垂れ下がった臀部を改善するための別の好ましい実施例による臀部フォルムパッド７０ｅの断面図である。この実施例では、各臀部フォルムパッド７０ｅは、第１臀部フォルム部材５０ｅと第２臀部フォルム部材６０ｅを含み、内側表面４４ｅと外側表面４６を有する。外側表面４６ｅは、アーチ形、又は、好適な曲率半径の円の一部分としたラジアンを有する。上述した曲率半径を有する円の一部分である外側表面４６ｅの半径を内側表面４４ｅのそれより小さくすれば、より豊満な外観が得られる。この設計により、臀部フォルムパッド７０ｅの上方部分は、その中間部分の厚みより厚い断面厚みを有することになり、臀部が垂れ下がった着用者が、この臀部フォルムパッド７０ｅを着用すれば、より優美な臀部シェープを得ることができる。この実施例では、ゲル４２を封入された袋５２の外側表面は、臀部フォルムパッド７０ｅの外側表面４６ｅの面積のほぼ７５％を占める。
【００２７】
更に、図４に示された実施形態では、各第２臀部フォルム部材６０は、接着材９０を用いて第１臀部フォルム部材５０に接合される。各第１臀部フォルム部材５０を各第２臀部フォルム部材６０に接合又は結合するための手段としては、接着材の他に、ベルクロ（マジックテープ（登録商標））等の他の適当な手段を用いることができる。
【００２８】
図６Ａ及び６Ｂは、本校案の更に別の実施形態を示す。説明の便宜上、最初に説明した実施形態の臀部フォルムパッド７０と同様な部分には同様な参照番号を付して説明する。又既に説明した同様な事項については繰り返しての説明を省略する。この実施形態では、臀部フォルム改善デバイスは、衣服４０ａと、着用者の臀部のシェープを改善するための２つの臀部フォルムパッド７０とから成る。衣服４０ａは、身体の下部（特に臀部）を覆うためのものであり、２つの臀部フォルムパッド７０は、それぞれ、衣服４０ａの、着用者の臀部に近接した内側表面に取り付けられる。これらの２つの臀部フォルムパッド７０は、同一形状、対称的形状又は補完形状とすることができる。
【００２９】
先に述べた実施形態と同様に、各臀部フォルムパッド７０は、周縁延長部分５６ａ，５６ｂを有している。図６Ａに示される実施例では、臀部フォルムパッド７０は、衣服４０ａの、着用者の臀部に近接した内側表面に周縁延長部分５６ａを介して溶接（溶着）される。あるいは、図６Ｂに示される実施例のように、臀部フォルムパッド７０は、衣服４０ａの、着用者の臀部に近接した内側表面に周縁延長部分５６ｂを介して縫いつけてもよい。
【００３０】
更に、図７に示されるように、臀部フォルムパッド７０ｆは、感圧性接着材層９２を介して着用者の臀部に直接接合することもできる。この実施例では、感圧性接着材層９２は、第２臀部フォルム部材６０ｆの内側表面４４ｆに薄いフィルムを介して取り付けることができるが、内側表面４４ｆに直接被覆してもよい。外側表面は、参照番号４６ｆで示されている。
【００３１】
以上、本考案を実施形態に関連して説明したが、本考案は、ここに例示した実施形態の構造及び形状に限定されるものではなく、いろいろな実施形態が可能であり、いろいろな変更及び改変を加えることができることを理解されたい。
【図面の簡単な説明】
【００３２】
【図１Ａ】図１Ａは、本考案の臀部フォルム改善デバイス全体の概略図である。
【図１Ｂ】図１Ｂは、本考案の臀部フォルム改善デバイスの第１臀部フォルム部材及び第２臀部フォルム部材の概略断面図である。
【図１Ｃ】図１Ｃは、本考案の他の実施形態の第１臀部フォルム部材及び第２臀部フォルム部材の概略断面図である。
【図１Ｄ】図１Ｄは、本考案の更に他の実施形態の第１臀部フォルム部材及び第２臀部フォルム部材の概略断面図である。
【図２】図２は、本考案の他の実施形態の臀部フォルム改善デバイス全体の概略図である。
【図３Ａ】図３Ａは、本考案の臀部フォルムパッドの好ましい実施形態の概略図である。
【図３Ｂ】図３Ｂは、本考案の臀部フォルムパッドの好ましい実施形態の詳細を示すために図３Ａの線ｂ−ｂ’に沿ってみた断面図である。
【図３Ｃ】図３Ｃは、本考案の他の好ましい実施形態の臀部フォルムパッドの概略断面図である。
【図３Ｄ】図３Ｄは、本考案の更に他の実施形態の臀部フォルムパッドの概略断面図である。
【図４】図４は、本考案の互いに分離可能な第１臀部フォルム部材及び第２臀部フォルム部材を示す概略断面図である。
【図５】図５は、図１のパッドの前面を示す概略図である。
【図６Ａ】図６Ａは、本考案の他の実施形態を示す部分概略図である。
【図６Ｂ】図６Ｂは、本考案の更に他の実施形態を示す部分概略図である。
【図７】図７は、本考案の更に他の実施形態の臀部フォルムパッドの概略断面図である。
【符号の説明】
【００３３】
３０  臀部フォルム改善デバイス
３２  頂部
３４  側部
３６  底部
４０、４０ａ  衣服
４２  ゲル
４４、４４ａ、４４ｂ、４４ｃ、４４ｄ、４４ｅ、４４ｆ  内側表面
４６、４６ａ、４６ｂ、４６ｃ、４６ｄ、４６ｅ、４６ｆ  外側表面
５０、５０ｂ、５０ｃ、５０ｄ、５０ｅ  第１臀部フォルム部材
５２  袋
５４  下方延長部分
５６、５６ａ、５６ｂ  周縁延長部分
６０、６０ｂ、６０ｃ、６０ｄ、６０ｅ、６０ｆ  第２臀部フォルム部材
７０、７０ａ、７０ｂ、７０ｃ、７０ｄ、７０ｅ、７０ｆ  臀部フォルムパッド
８０  ポケット
９０  接着材
９２  感圧性接着材層
【図１Ａ】
0003135970.tif 000003
【図１Ｂ】
0003135970.tif 000004
【図１Ｃ】
0003135970.tif 000005
【図１Ｄ】
0003135970.tif 000006
【図２】
0003135970.tif 000007
【図３Ａ】
0003135970.tif 000008
【図３Ｂ】
0003135970.tif 000009
【図３Ｃ】
0003135970.tif 000010
【図３Ｄ】
0003135970.tif 000011
【図４】
0003135970.tif 000012
【図５】
0003135970.tif 000013
【図６Ａ】
0003135970.tif 000014
【図６Ｂ】
0003135970.tif 000015
【図７】
0003135970.tif 000016